(57)【要約】【課題】  複数本の平角導体線３における伝送特性のばらつきがほとんどなくなり、フラットケーブル１９の品質を向上させる。【解決手段】  ケーブル幅方向に並んだ複数本の信号線１１と；複数本の信号線１１をラミネートするラミネートテープ１３と；を具備してあって、各信号線１１の周辺における実効誘電率が略同じになるように、ラミネートテープ１３の裏面におけるケーブル幅方向からみて両端側の部位に塗布された接着剤１５に、予め添加剤２１が添加されていること。【選択図】      図１
2005116477.tif 000002
【特許請求の範囲】
【請求項１】
ケーブル幅方向に並んだ複数本の信号線と；
裏面に接着剤が塗布され、複数本の前記信号線をラミネートするラミネートテープと；を具備してあって、
各信号線の周辺における実効誘電率が略同じになるように構成されたことを特徴とするフラットケーブル。
【請求項２】
前記信号線は、平角導体線であることを特徴とする請求項１に記載のフラットケーブル。
【請求項３】
前記信号線は、外周部に絶縁被覆層を有した被覆導体線であることを特徴とする請求項１に記載のフラットケーブル。
【請求項４】
各信号線の周辺における実効誘電率が略同じになるように、前記ラミネートテープの裏面における前記ケーブル幅方向からみて両端側の部位に塗布された前記接着剤に、予め添加剤が添加されていることを特徴とする請求項１から請求項３のうちのいずれかの請求項に記載のフラットケーブル。
【請求項５】
前記添加剤は、金属、金属合金、又はセラミックスのうちのいずれかのであることを特徴とする請求項４に記載のフラットケーブル。
【請求項６】
各被覆導体線の周辺における実効誘電率が略同じになるように、前記ケーブル幅方向からみて両端側の前記被覆導体線の前記絶縁被覆層の比誘電率は、前記ケーブル幅方向からみて中間側の前記被覆導体線の前記絶縁被覆層の比誘電率よりも高くしていることを特徴とする請求項３に記載のフラットケーブル。
【発明の詳細な説明】
【技術分野】
【０００１】
本発明は、自動車用電装品、パソコン等の電子機器の配線等に用いられるフラットケーブルに関する。
【背景技術】
【０００２】
従来のフラットケーブルについて図３及び図４を参照して説明する。
【０００３】
図３は、従来の一般的なフラットケーブルの断面図であって、図４は、従来の別タイプの一般的なフラットケーブルの断面図である。
【０００４】
図３に示すように、従来の一般的なフラットケーブル１は、ケーブル幅方向（図３において左右方向）に等間隔に並んだ複数本（少なくとも３本以上）の平角導体線３（３Ａ，３Ｂ）と、複数本の平角導体線３（３Ａ，３Ｂ）をラミネートする一対のラミネートテープ５とを具備している。ここで、各ラミネートテープ５の裏面には、それぞれ、熱可塑性の接着剤７が塗布されている。
【０００５】
また、図４に示すように、別タイプの一般的なフラットケーブル９は、ケーブル幅方向（図４において左右方向）に並んだ複数本（少なくとも３本以上）の被覆導体線（対撚りの被覆導体線を含む）１１（１１Ａ，１１Ｂ）と、複数本の被覆導体線１１（１１Ａ，１１Ｂ）をラミネートする一対のラミネートテープ１３とを具備している。ここで、各ラミネートテープ１３の裏面には、それぞれ、熱可塑性の接着剤１５が塗布されており、各被覆導体線１１の外周部には、それぞれ、ＰＶＣ又は熱可塑性エラストマー等を主成分とした絶縁被覆層１７を有している。
【０００６】
なお、本発明に関連する先行技術として特許文献１に示すものがある。
【特許文献１】特開平８−２５５５１１号公報
【発明の開示】
【発明が解決しようとする課題】
【０００７】
ところで、一般的なフラットケーブルの内部において、前記ケーブル幅方向からみて両端側（一端側と他端側、図３において左端側と右端側）の平角導体線３Ａにおける外的環境と、前記ケーブル幅方向からみて中間側（一端側の平角導体線３Ａと他端側の平角導体線３Ａの中間側）の平角導体線３Ｂにおける外的環境が異なる。換言すれば、中間側の平角導体線３Ｂは２本の平角導体線３に挟まれているのに対して、両端側の平角導体線３Ａは１本の平角導体線３が隣接するに過ぎない。そのため、両端側の平角導体線３Ａにおける信号伝搬遅延時間と中間側の平角導体線３Ｂにおける信号伝搬遅延時間が異なって、複数本の平角導体線３の伝送特性のばらつきが生じるという問題がある。
【０００８】
なお、上述の問題は、別タイプの一般的なフラットケーブル９においても同様に生じる。
【課題を解決するための手段】
【０００９】
請求項１に記載の発明にあっては、ケーブル幅方向に並んだ複数本の信号線と；
裏面に接着剤が塗布され、複数本の前記信号線をラミネートするラミネートテープと；を具備してあって、
各信号線の周辺における実効誘電率が略同じになるように構成されたことを特徴とする。
【００１０】
請求項１に記載の発明特定事項によると、各信号線の周辺における実効誘電率が略同じになるように構成されたため、前記ケーブル幅方向からみて両端側（一端側と他端側）の前記信号線における外的環境と、前記ケーブル幅方向からみて中間側（一端側の前記信号線と他端側の前記信号線の中間側）の前記信号線における外的環境が異なっても、各信号線における電磁気的環境を略同じにすることができる。
【００１１】
請求項２に記載の発明にあっては、請求項１に記載の発明特定事項の他に、前記信号線は、平角導体線であることを特徴とする。
【００１２】
請求項２に記載の発明特定事項によると、請求項１に記載の発明特定事項による作用と同様の作用を奏する。
【００１３】
請求項３に記載の発明にあっては、請求項１に記載の発明特定事項の他に、前記信号線は、外周部に絶縁被覆層を有した被覆導体線（対撚りの被覆導線を含む）であることを特徴とする。
【００１４】
請求項３に記載の発明特定事項によると、請求項１に記載の発明特定事項による作用と同様の作用を奏する。
【００１５】
請求項４に記載の発明にあっては、請求項１から請求項３のうちのいずれかの請求項に記載の発明特定事項の他に、各信号線の周辺における実効誘電率が略同じになるように、前記ラミネートテープの裏面における前記ケーブル幅方向からみて両端側（一端側と他端側）の部位に塗布された前記接着剤に、予め添加剤が添加されていることを特徴とする。
【００１６】
請求項４に記載の発明特定事項によると、請求項１から請求項３のうちのいずれかの請求項に記載の発明特定事項による作用の他に、前記ラミネートテープの裏面における前記ケーブル幅方向からみて両端側の部位に塗布された前記接着剤に、予め添加剤が添加されているため、両端側の前記信号線の周辺における実効誘電率が高くなって、中間側の前記信号線の周辺における実効誘電率と略同じになる。
【００１７】
請求項５に記載の発明にあっては、請求項４に記載の発明特定事項の他に、前記添加剤は、金属、金属合金、又はセラミックスのうちのいずれかのであることを特徴とする。
【００１８】
請求項５に記載の発明特定事項によると、請求項４に記載の発明特定事項による作用と同様の作用を奏する。
【００１９】
請求項６に記載の発明にあっては、請求項３に記載の発明特定事項の他に、各被覆導体線の周辺における実効誘電率が略同じになるように、前記ケーブル幅方向からみて両端側（一端側と他端側）の前記被覆導体線の前記絶縁被覆層における比誘電率は、前記ケーブル幅方向からみて中間側（一端側の前記被覆導体線と他端側の前記被覆導体線の中間側）の前記被覆導体線の前記絶縁被覆層における比誘電率よりも高くしていることを特徴とする。
【００２０】
請求項６に記載の発明特定事項によると、請求項３に記載の発明特定事項による作用の他に、両端側の前記被覆導体線の前記絶縁被覆層における比誘電率は、中間側の前記被覆導体線の前記絶縁被覆層における比誘電率よりも高くしているため、両端側の前記被覆導体線の周辺における実効誘電率が高くなって、中間側の前記被覆導体線の周辺における実効誘電率と略同じになる。
【発明の効果】
【００２１】
請求項１から請求項６のうちのいずれかの請求項に記載の発明によれば、前記ケーブル幅方向からみて両端側の前記信号線における外的環境と、前記ケーブル幅方向からみて中間側の前記信号線における外的環境が異なっても、各信号線における電磁気的環境を略同じにすることができるため、両端側の前記信号線における信号伝搬遅延時間と中間側の前記信号線における信号伝搬遅延時間が略同じになって、複数本の信号線における伝送特性のばらつきがほとんどなくなり、前記フラットケーブルの品質を向上させることができる。
【発明を実施するための最良の形態】
【００２２】
第１の発明の最良の形態について図１を参照して説明する。
【００２３】
図１は、第１の発明の最良の形態に係わるフラットケーブルの断面図である。
【００２４】
図１に示すように、第１の発明の最良の形態に係わるフラットケーブル１９は、従来の一般的なフラットケーブル１（図３参照）と同様に、ケーブル幅方向（図１において左右方向）に等間隔に並んだ複数本（少なくとも３本以上）の平角導体線３（３Ａ，３Ｂ）と、複数本の平角導体線３（３Ａ，３Ｂ）をラミネートする一対のラミネートテープ５とを具備している。ここで、各ラミネートテープ５の裏面には、それぞれ、熱可塑性の接着剤７が塗布されている。
【００２５】
そして、各平角導体線３の周辺における実効誘電率が略同じになるように、各ラミネートテープ５の裏面における前記ケーブル幅方向からみて両端側（一端側と他端側、図１において左端側と右端側）の部位に塗布された接着剤７には、予め添加剤２１が添加されている。ここで、添加剤２１としては、金属、金属合金、又はセラミックスのいずれかのことである（望ましくはセラミックスである）。これにより、前記ケーブル幅方向からみて両端側の平角導体線３Ａの周辺における実効誘電率が高くなって、前記ケーブル幅方向からみて中間側（一端側の平角導体線３Ａと他端側の平角導体線３Ａの中間側）の平角導体線３Ｂの周辺における実効誘電率と略同じになる。
【００２６】
次に、第１の発明の最良の形態の作用及び効果について説明する。
【００２７】
各平角導体線３の周辺における実効誘電率が略同じになるようにすることができるため、両端側の平角導体線３Ａにおける外的環境と中間側の平角導体線３Ｂにおける外的環境が異なっても、各平角導体線３における電磁気的環境を略同じにすることができる。
【００２８】
従って、両端側の平角導体線３Ａにおける信号伝搬遅延時間と中間側の平角導体号線３Ｂにおける信号伝搬遅延時間が略同じになって、複数本の平角導体線３における伝送特性のばらつきがほとんどなくなり、フラットケーブル１９の品質を向上させることができる。
【００２９】
第２の発明の最良の形態について図２を参照して説明する。
【００３０】
図２は、第２の発明の最良の形態に係わるフラットケーブルの断面図である。
【００３１】
図２に示すように、第２の発明の最良の形態に係わるフラットケーブル２３は、従来の別タイプの一般的なフラットケーブル９（図４参照）と同様に、ケーブル幅方向（図２において左右方向）に並んだ複数本（少なくとも３本以上）の被覆導体線（対撚りの被覆導体線を含む）１１（１１Ａ，１１Ｂ）と、複数本の被覆導体線１１（１１Ａ，１１Ｂ）をラミネートする一対のラミネートテープ１３とを具備している。ここで、各ラミネートテープ１３の裏面には、それぞれ、熱可塑性の接着剤１５が塗布されており、各被覆導体線１１の外周部には、それぞれ、ＰＶＣ又は熱可塑性エラストマー等を主成分とした絶縁被覆層１７を有している。
【００３２】
そして、各被覆導体線１１の周辺における実効誘電率が略同じになるように、各ラミネートテープ１３の裏面における前記ケーブル幅方向からみて両端側（一端側と他端側、図２において左端側と右端側）の部位に塗布された接着剤１５には、予め添加剤２５が添加されている。ここで、添加剤２５としては、金属、金属合金、又はセラミックスのいずれかのことである（望ましくはセラミックスである）。これにより、前記ケーブル幅方向からみて両端側の被覆導体線１１Ａの周辺における実効誘電率が高くなって、前記ケーブル幅方向からみて中間側（一端側の被覆導体線１１Ａと他端側の被覆導体線１１Ａの中間側）の被覆導体線１１Ｂの周辺における実効誘電率と略同じになる。
【００３３】
なお、ラミネートテープ１３の裏面における前記ケーブル幅方向からみて両端側の部位に塗布された接着剤１５に、予め添加剤２５が添加される代わりに、各被覆導体線１１の周辺における実効誘電率が略同じになるように、両端側の被覆導体線１１Ａの絶縁被覆層１７の比誘電率は中間側の被覆導体線１１Ｂの絶縁被覆層１７の比誘電率よりも高くするようにしても差し支えない。具体的には、絶縁被覆層１７がＰＶＣを主成分とする場合には、可塑剤の添加量を変えたり、絶縁被覆層１７が熱可塑性エラストマーを主成分とする場合には、モノマーの比率を変えたりすることによって、両端側の被覆導体線１１Ａの絶縁被覆層１７の比誘電率が中間側の被覆導体線１１Ｂの絶縁被覆層１７の比誘電率よりも高くなるようにする。
【００３４】
次に、第２の発明の最良の形態の作用及び効果について説明する。
【００３５】
各被覆導体線１１の周辺における実効誘電率が略同じになるようにすることができるため、両端側の被覆導体線１１Ａにおける外的環境と中間側の被覆導体線１１Ｂにおける外的環境が異なっても、各被覆導体線１１おける電磁気的環境を略同じにすることができる。
【００３６】
従って、両端側の被覆導体線１１Ａにおける信号伝搬遅延時間と中間側の被覆導体線１１Ｂにおける信号伝搬遅延時間が略同じになって、複数本の被覆導体線１１における伝送特性のばらつきがほとんどなくなり、フラットケーブル２３の品質を向上させることができる。
【００３７】
なお、本発明は、前述の発明の最良の形態の説明に限るものではなく、適宜の変更を行うことにより、その他種々の態様で実施可能である。
【図面の簡単な説明】
【００３８】
【図１】第１の発明の最良の形態に係わるフラットケーブルの断面図である。
【図２】第２の発明の最良の形態に係わるフラットケーブルの断面図である。
【図３】従来の一般的なフラットケーブルの断面図である。
【図４】従来の別タイプの一般的なフラットケーブルの断面図である。
【符号の説明】
【００３９】
１                      フラットケーブル
３（３Ａ，３Ｂ）        平角導体線
５                      ラミネートテープ
７                      接着剤
９                      フラットケーブル
１１（１１Ａ，１１Ｂ）    被覆導体線
１３                      ラミネートテープ
１５                      接着剤
１７                      絶縁被覆層
１９                      フラットケーブル
２１                      添加剤
２３                      フラットケーブル
２５                      添加剤
【図１】
2005116477.tif 000003
【図２】
2005116477.tif 000004
【図３】
2005116477.tif 000005
【図４】
2005116477.tif 000006